【事件の表示】
　特許第３０３９１７１号「実像式ファインダー系」の請求項１ないし９に係る特許に対する特許異議の申立てについて、次のとおり決定する。
【結　論】
　訂正を認める。
　特許第３０３９１７１号の請求項１ないし９に係る特許を維持する。
【理　由】
１．手続の経緯
　特許第３０３９１７１号の請求項１〜９に係る発明（以下、それぞれ、本件発明１〜９という）は、平成４年１１月３０日に特許出願され、平成１２年３月３日にその特許権の設定登録がなされ、その後、異議申立人桜井英里（以下、単に異議申立人という）から特許異議の申立てがなされ、取消しの理由が通知され、その指定期間である平成１３年４月１７日に訂正請求がなされたものである。
　
２．訂正の適否についての判断
（１）訂正の内容
（ａ）訂正事項ａ
　特許請求の範囲の請求項１における、「対物レンズによって形成される物体像を第１プリズムと第２プリズムを介して正立正像として接眼レンズで観察する実像式ファインダー系において、」とあるのを、「撮影レンズと異なる光軸を持つ対物レンズによって形成される物体像を第１プリズムと第２プリズムを介して正立正像として接眼レンズで観察するカメラ用の実像式ファインダー系において、」と訂正する。
（ｂ）訂正事項ｂ
　特許請求の範囲の請求項５における、「対物レンズによって形成される物体像を第１プリズムと第２プリズムを介して正立正像として接眼レンズで観察する実像式ファインダー系において、」とあるのを、「撮影レンズと異なる光軸を持つ対物レンズによって形成される物体像を第１プリズムと第２プリズムを介して正立正像として接眼レンズで観察するカメラ用の実像式ファインダー系において、」と訂正する。
（ｃ）訂正事項ｃ
　特許請求の範囲の請求項８における、「対物レンズによって形成される物体像を第１プリズムと第２プリズムを介して正立正像として接眼レンズで観察する実像式ファインダー系において、」とあるのを、「撮影レンズと異なる光軸を持つ対物レンズによって形成される物体像を第１プリズムと第２プリズムを介して正立正像として接眼レンズで観察するカメラ用の実像式ファインダー系において、」と訂正する。
（ｄ）訂正事項ｄ
　特許請求の範囲の請求項９における、「請求項１乃至８記載の」とあるのを、「請求項１乃至８のいずれか１項に記載の」と訂正する。
（ｅ）訂正事項ｅ
　明細書の段落番号【００１６】の「請求項１の発明の実像式ファインダー系は対物レンズによって形成される物体像を第１プリズムと第２プリズムを介して正立正像として接眼レンズで観察する実像式ファインダー系において、」とあるのを、「請求項１の発明の実像式ファインダー系は撮影レンズと異なる光軸を持つ対物レンズによって形成される物体像を第１プリズムと第２プリズムを介して正立正像として接眼レンズで観察するカメラ用の実像式ファインダー系において、」と訂正する。
（ｆ）訂正事項ｆ
　明細書の段落番号【００１７】の「請求項５の発明の実像式ファインダー系は対物レンズによって形成される物体像を第１プリズムと第２プリズムを介して正立正像として接眼レンズで観察する実像式ファインダー系において、」とあるのを、「請求項５の発明の実像式ファインダー系は撮影レンズと異なる光軸を持つ対物レンズによって形成される物体像を第１プリズムと第２プリズムを介して正立正像として接眼レンズで観察するカメラ用の実像式ファインダー系において、」と訂正する。
（ｇ）訂正事項ｇ
　明細書の段落番号【００１８】の「請求項８の発明の実像式ファインダー系は対物レンズによって形成される物体像を第１プリズムと第２プリズムを介して正立正像として接眼レンズで観察する実像式ファインダー系において、」とあるのを、「請求項８の発明の実像式ファインダー系は撮影レンズと異なる光軸を持つ対物レンズによって形成される物体像を第１プリズムと第２プリズムを介して正立正像として接眼レンズで観察するカメラ用の実像式ファインダー系において、」と訂正する。
（ｈ）訂正事項ｈ
　明細書の段落番号【００１９】の「請求項９の発明のカメラは請求項１乃至８記載の」とあるのを、「請求項９の発明のカメラは請求項１乃至８のいずれか１項に記載の」と訂正する。
（２）訂正の目的の適否、新規事項の有無及び拡張・変更の存否
　上記訂正事項ａ〜ｃは、特許請求の範囲の減縮を目的とした明細書の訂正に該当し、また、上記訂正事項ｄは、請求項の引用関係を明確にするものであり、また、上記訂正事項ｅ〜ｈは、上記訂正事項ａ〜ｄと整合を図るものであるから、上記訂正事項ｄ〜ｈは明りょうでない記載の釈明を目的とした明細書の訂正に該当し、いずれも、新規事項の追加に該当せず、実質的に特許請求の範囲を拡張又は変更するものではない。
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
３．特許異議の申立てについての判断
（１）申立の理由の概要
　異議申立人は、本件発明１〜９は、甲第１号証（特開昭６０−１１４８３３号公報）、甲第２号証（特開昭５０−９２１３０号公報）に記載された発明に基づいて、当業者が容易に発明をすることができたものであり、本件発明の特許は特許法第２９条第２項の規定に違反してなされたものであるから、特許を取り消すべき旨主張している。
（２）本件発明
　上記２．で示したように上記訂正が認められるから、本件発明１〜９は、上記訂正請求に係る訂正明細書の特許請求の範囲の請求項１〜９に記載された事項により特定されるとおりのものである。
（３）引用刊行物記載の発明
　当審が通知した取消しの理由に引用された刊行物１（特開昭６０−１１４８３３号公報：異議申立人の提出した甲第１号証）には、
・「開閉するミラーの背面に縮小レンズと反転組合せプリズムと仕切板と焦点板を設けた一眼レフカメラ用ファインダーの光学系」（特許請求の範囲）
・「第二図に於て（１０）はカメラ本体でありレンズ系（１１）より入った光は縮小レンズ（１）を通り第一図のプリズム系の矢印の如くプリズム（３）内を反射し仕切板（５）に設けた焦点板（６）上に結像し更にその光はプリズム（６）内を矢印方向に反射して進みプリズムを通過して接眼レンズ（１３）を経て肉眼に達する様になっている。焦点板（４）上の像の範囲は撮影される範囲に対応する様にしてあり又プリズム（６）はダハプリズムである。・・然る時レンズ系（１１）より入った光はミラー（１２）で反射し更にプリズム（１５）によって反射し第二図のフイルム面（１６）上に結像する様になっている。」（公報第１頁右下欄第１６行〜第２頁左上欄第１６行）
と記載され、また、第一図、第二図には、ファインダーの光学系における光の進み方が示されている。
　そして、これらの記載から、刊行物１の「一眼レフカメラ用ファインダーの光学系」は、撮影レンズ１１および縮小レンズ１によって形成される物体像を第一プリズム３と第二プリズム６を介して正立正像として接眼レンズ１３で観察する実像式ファインダー系であり、また、接眼レンズ１３は、撮影レンズ１１および縮小レンズ１により第一プリズム３の出射面と第二プリズム６の入射面の間にある仕切板５を設けた焦点板４に形成された物体像を観察するようにしていることは、当業者には明かである。
　同刊行物２（特開昭５０−９２１３０号公報：異議申立人の提出した甲第２号証）には、
・「第２図は、本発明による反射式フアインダ装置を、カメラハウジングの中に光電的露出測定装置無しに示すものである。カメラハウジング１６の内部に像窓１８を有するフイルム面１７がある。撮影レンズ２０と像窓１８との間にある光線分割器板１９が、撮影対象から来る光線の一部分を、像界レンズ２１と、シユミツトプリズム２２と、フアインダ接眼レンズ２３とから成立つているフアインダ装置の中に向ける。」（公報第３頁右上欄第１１〜１９行）
と記載され、また、第２図には、ファインダー装置内の光線の進み方が示されている。
　そして、これらの記載から、刊行物２の「ファインダ装置」は、撮影レンズ２０によって形成される物体像を光線分割器板１９とシユミツトプリズム２２を介して正立正像としてフアインダ接眼レンズ２３で観察する実像式ファインダー系であり、また、フアインダ接眼レンズ２３は、撮影レンズ２０により光線分割器板１９の出射面とシユミツトプリズム２２の入射面の間に形成された物体像を観察するようにしていることは、当業者には明かである。
　同刊行物３（特開昭５９−２２９５３６号公報：異議申立人の提出した参考資料１）および同刊行物４（特開平３−８１７４９号公報：異議申立人の提出した参考資料２）には、刊行物１と同様の実像式ファインダー系が記載されていると認められる。
（４）対比・判断
本件発明１について
　刊行物１に記載された発明と本件発明１を対比すると、刊行物１の「撮影レンズ１１および縮小レンズ１」、「第一プリズム３」、「第二プリズム６」、「接眼レンズ１３」、「第一プリズム３の出射面と第二プリズム６の入射面の間にある仕切板５を設けた焦点板４に形成された物体像」が、それぞれ、本件発明１の「対物レンズ」、「第１プリズム」、「第２プリズム」、「接眼レンズ」、「該第１プリズムの面１４近傍から該第２プリズムの面２１近傍の範囲内に形成された物体像」に相当し、また、刊行物１の第一図、第二図に記載されたファインダーの光学系における光の進み方を参照すれば、両者は、
　対物レンズによって形成される物体像を第１プリズムと第２プリズムを介して正立正像として接眼レンズで観察する実像式ファインダー系において、該第１プリズムは、該対物レンズからの光束が入射する入射面１１と、入射面１１からの光束が反射する面１２と、面１２で反射した光束を反射して、面１２と同一平面上の面１４に略垂直に入射させる面１３と、面１３で反射した光束が射出する面１４とから構成されており、該第２プリズムは、該第１プリズムの面１４と略平行に配置され、該面１４から射出した光束が入射する面２１と、面２１からの光束が反射するように該対物レンズの光軸に対して略垂直に設けられた面２２と、面２２で反射した光束を面２１と同一平面上の面２４方向に反射し、このとき面２４での反射光が該光軸と略平行方向に反射するように傾けた面２３と、面２４で反射した光束が射出し、面２２と同一平面上の面２５とから構成されており、光路中、ダハ面を物体像を折り返すように設けると共に、該接眼レンズは、該対物レンズにより該第１プリズムの面１４近傍から該第２プリズムの面２１近傍の範囲内に形成された物体像を観察するようにしていることを特徴とする実像式ファインダー系。
で一致し、
　本件発明１が、（ａ）撮影レンズと異なる光軸を持つ対物レンズ、（ｂ）一部の面での反射を全反射とした構成、（ｃ）ダハ面が物体像の観察視野の短辺方向を折り返すように設けた構成、を有するのに対して、刊行物１に記載された発明は、そのような構成を有しない点で、相違する。
　ここで、（ａ）について、撮影レンズと異なる光軸を持つ対物レンズは例を挙げるまでもなく周知であり、また、（ｂ）について、一般に、プリズムにおいて、その面での反射を全反射としたものは周知であるから、本件発明１において、撮影レンズと異なる光軸を持つ対物レンズとしたこと、また、一部の面での反射を全反射としたことは、いずれも単なる設計的な事項にすぎない。
　しかし、（ｃ）について、ダハ面が物体像の観察視野の短辺方向を折り返すように設けた構成は、刊行物２〜４のいずれにも記載されていない。
　また、本件発明１は、該構成を有することにより、観察視野の短辺方向がカメラの上下方向と一致する通常のカメラにおいて、ファインダー光学系の上下方向の小型化を図ることができ、パララックスを少なくすることができるという効果を奏し得るものである。
　したがって、本件発明１は、刊行物１〜４から容易に想到し得るものではない。
　なお、異議申立人は、平成１３年７月１８日付回答書において、「甲第１号証の第二図（Ａ）（・・）によれば点線によって光束が描かれており、・・第二図（Ｂ）（・・）の黄枠で囲まれた領域（・・）がフィルム１駒分の撮像領域であるといえる。すなわち、この１駒分の撮像領域は長方形形状をなしており、その短辺方向はフィルム幅方向である。・・上記１駒分の撮影領域において、カメラ上下方向に対応するのは短辺方向（フィルム幅方向）である。・・ここに、ファインダの像の観察視野、すなわち焦点板４の枠は紙面垂直方向がカメラの上下方向に対応することとなり、光路を追跡してみるとダハ面６においてはこの方向に像が折り返されることがわかる。・・甲第１号証には、「ダハ面を物体像の観察視野の短辺方向を折り返すように設ける」構成が明確に記載されているといえる。」（回答書第２頁第４行〜第３頁第８行）と主張するが、
　まず、「黄枠で囲まれた領域（・・）がフィルム１駒分の撮像領域である」という点について、撮像領域が黄枠で囲まれた領域内に含まれることは明かであるが、黄枠と撮像領域が一致するとはいえず、黄枠の形状がそのまま撮像領域の形状であると認めることはできない。また、黄枠自体の形状についても、一般に特許図面は正確に描かれた図面ではないこと、および、刊行物１の第二図（Ｂ）において二辺の比は２．２：１．８５程度と明確に長方形を示しているとはいえないことから、刊行物１の第二図（Ｂ）が、黄枠自体の形状が長方形であることを示しているとは認められない。
したがって、刊行物１に、「ダハ面を物体像の観察視野の短辺方向を折り返すように設ける」構成が明確に記載されているということはできない。
　
本件発明２〜４について
　請求項２〜４は、いずれも請求項１を引用するものであるから、本件発明２〜４は、本件発明１と同様、刊行物１〜４から容易に想到し得るものではない。
　
本件発明５について
　刊行物２に記載された発明と本件発明５を対比すると、刊行物２の「撮影レンズ２０」、「光線分割器板１９」、「シユミツトプリズム２２」、「フアインダ接眼レンズ２３」、「光線分割器板１９の出射面とシユミツトプリズム２２の入射面の間に形成された物体像」が、それぞれ、本件発明１の「対物レンズ」、「第１プリズム」、「第２プリズム」、「接眼レンズ」、「該第１プリズムの面１４近傍から該第２プリズムの面２１近傍の範囲内に形成された物体像」に相当し、また、刊行物２の第２図に記載されたフアインダ装置内の光線の進み方を参照すれば、両者は、
　対物レンズによって形成される物体像を第１プリズムと第２プリズムを介して正立正像として接眼レンズで観察する実像式ファインダー系において、該第１プリズムは、該対物レンズからの光束が入射する入射面１１と、入射面１１からの光束を入射面１１と同一平面上の面１３方向に反射させる面１２と、面１３で反射した光束が射出する面１４とから構成されており、該第２プリズムは、該第１プリズムの面１４と略平行に配置され、該面１４から射出した光束が入射する面２１と、面２１からの光束が反射するように該対物レンズの光軸に対して略垂直に設けられた面２２と、面２２で反射した光束を面２１と同一平面上の面２４方向に反射させ、このとき面２４での反射光が該光軸と略平行方向に全反射するように傾けた面２３と、面２４で反射した光束が射出し、面２２と同一平面上の面２５とから構成されており、光路中、ダハ面を物体像を折り返すように設けると共に、該接眼レンズは該対物レンズにより該第１プリズムの面１４近傍から該第２プリズムの面２１近傍の範囲内に形成された物体像を観察するようにしていることを特徴とする実像式ファインダー系。
で一致し、
　本件発明５が、（ａ）撮影レンズと異なる光軸を持つ対物レンズ、（ｂ）一部の面での反射を全反射とした構成、（ｃ）ダハ面が物体像の観察視野の短辺方向を折り返すように設けた構成、を有するのに対して、刊行物２に記載された発明は、そのような構成を有しない点で、相違する。
　ここで、（ａ）について、撮影レンズと異なる光軸を持つ対物レンズは例を挙げるまでもなく周知であり、また、（ｂ）について、一般に、プリズムにおいて、その面での反射を全反射としたものは周知であるから、本件発明５において、撮影レンズと異なる光軸を持つ対物レンズとしたこと、また、一部の面での反射を全反射としたことは、いずれも単なる設計的な事項にすぎない。
　しかし、（ｃ）について、ダハ面が物体像の観察視野の短辺方向を折り返すように設けた構成は、刊行物１、３、４のいずれにも記載されていない。
　また、本件発明５は、該構成を有することにより、観察視野の短辺方向がカメラの上下方向と一致する通常のカメラにおいて、ファインダー光学系の上下方向の小型化を図ることができ、パララックスを少なくすることができるという効果を奏し得るものである。
したがって、本件発明５は、刊行物１〜４から容易に想到し得るものではない。
　
本件発明６、７について
　請求項６、７は、いずれも請求項５を引用するものであるから、本件発明６、７は、本件発明５と同様、刊行物１〜４から容易に想到し得るものではない。
　
本件発明８について
　刊行物１に記載された発明と本件発明８を対比すると、刊行物１の「撮影レンズ１１および縮小レンズ１」、「第一プリズム３」、「第二プリズム６」、「接眼レンズ１３」、「仕切板５」、「第一プリズム３の出射面と第二プリズム６の入射面の間にある仕切板５を設けた焦点板４に形成された物体像」が、それぞれ、本件発明１の「対物レンズ」、「第１プリズム」、「第２プリズム」、「接眼レンズ」、「視野枠」、「前記視野枠の位置、又はその近傍に形成された前記物体像」に相当し、また、刊行物１の第一図、第二図に記載されたファインダーの光学系における光の進み方を参照すれば、両者は、
　対物レンズによって形成される物体像を、第１プリズムと第２プリズムにより正立正像として接眼レンズで観察する実像式ファインダー系において、前記対物レンズからの光束は、前記第１プリズムの第１１面に入射し、前記第１プリズムの第１２面及び第１３面で反射されて、前記第１プリズムより射出した後、前記第１プリズムと前記第２プリズムの間に設けられた視野枠を介して、前記第２プリズムの第２１面に入射し、前記第２プリズムの第２２面及び第２３面で反射されて前記第２１面に向かい、前記第２１面で反射されて前記第２プリズムより射出する光路を経て接眼レンズに入射し、観察者は、前記接眼レンズを介して前記視野枠の位置、又はその近傍に形成された前記物体像を観察すると共に、光路中、ダハ面を物体像を折り返すように設けたことを特徴とする実像式ファインダー系。
で一致し、
　本件発明８が、（ａ）撮影レンズと異なる光軸を持つ対物レンズ、（ｂ）一部の面での反射を全反射とした構成、（ｃ）ダハ面が物体像の観察視野の短辺方向を折り返すように設けた構成、を有するのに対して、刊行物１に記載された発明は、そのような構成を有しない点で、相違する。
ここで、（ａ）について、撮影レンズと異なる光軸を持つ対物レンズは例を挙げるまでもなく周知であり、また、（ｂ）について、一般に、プリズムにおいて、その面での反射を全反射としたものは周知であるから、本件発明８において、撮影レンズと異なる光軸を持つ対物レンズとしたこと、また、一部の面での反射を全反射としたことは、いずれも単なる設計的な事項にすぎない。
　しかし、（ｃ）について、ダハ面が物体像の観察視野の短辺方向を折り返すように設けた構成は、刊行物２〜４のいずれにも記載されていない。
また、本件発明８は、該構成を有することにより、観察視野の短辺方向がカメラの上下方向と一致する通常のカメラにおいて、ファインダー光学系の上下方向の小型化を図ることができ、パララックスを少なくすることができるという効果を奏し得るものである。
したがって、本件発明８は、刊行物１〜４から容易に想到し得るものではない。
　
本件発明９について
　請求項９は、請求項１〜８を引用するものであるから、本件発明９は、本件発明１〜８と同様、刊行物１〜４から容易に想到し得るものではない。
　
４．むすび
　以上のとおりであるから、異議申立人の理由及び証拠によっては、本件発明１〜９についての特許を取り消すことができない。
　また、他に、本件発明についての特許を取り消すべき理由を発見しない。
　よって結論のとおり決定する。
【異議決定日】
平成１３年１０月２６日（２００１．１０．２６）
【訂正の要旨】
訂正の要旨
（１）訂正事項ａ
　特許請求の範囲の請求項１における、「対物レンズによって形成される物体像を第１プリズムと第２プリズムを介して正立正像として接眼レンズで観察する実像式ファインダー系において、」とあるのを、「撮影レンズと異なる光軸を持つ対物レンズによって形成される物体像を第１プリズムと第２プリズムを介して正立正像として接眼レンズで観察するカメラ用の実像式ファインダー系において、」と訂正する。
（２）訂正事項ｂ
　特許請求の範囲の請求項５における、「対物レンズによって形成される物体像を第１プリズムと第２プリズムを介して正立正像として接眼レンズで観察する実像式ファインダー系において、」とあるのを、「撮影レンズと異なる光軸を持つ対物レンズによって形成される物体像を第１プリズムと第２プリズムを介して正立正像として接眼レンズで観察するカメラ用の実像式ファインダー系において、」と訂正する。
（３）訂正事項ｃ
　特許請求の範囲の請求項８における、「対物レンズによって形成される物体像を第１プリズムと第２プリズムを介して正立正像として接眼レンズで観察する実像式ファインダー系において、」とあるのを、「撮影レンズと異なる光軸を持つ対物レンズによって形成される物体像を第１プリズムと第２プリズムを介して正立正像として接眼レンズで観察するカメラ用の実像式ファインダー系において、」と訂正する。
（４）訂正事項ｄ
　特許請求の範囲の請求項９における、「請求項１乃至８記載の」とあるのを、「請求項１乃至８のいずれか１項に記載の」と訂正する。
（５）訂正事項ｅ
　明細書の段落番号【００１６】の「請求項１の発明の実像式ファインダー系は対物レンズによって形成される物体像を第１プリズムと第２プリズムを介して正立正像として接眼レンズで観察する実像式ファインダー系において、」とあるのを、「請求項１の発明の実像式ファインダー系は撮影レンズと異なる光軸を持つ対物レンズによって形成される物体像を第１プリズムと第２プリズムを介して正立正像として接眼レンズで観察するカメラ用の実像式ファインダー系において、」と訂正する。
（６）訂正事項ｆ
　明細書の段落番号【００１７】の「請求項５の発明の実像式ファインダー系は対物レンズによって形成される物体像を第１プリズムと第２プリズムを介して正立正像として接眼レンズで観察する実像式ファインダー系において、」とあるのを、「請求項５の発明の実像式ファインダー系は撮影レンズと異なる光軸を持つ対物レンズによって形成される物体像を第１プリズムと第２プリズムを介して正立正像として接眼レンズで観察するカメラ用の実像式ファインダー系において、」と訂正する。
（７）訂正事項ｇ
　明細書の段落番号【００１８】の「請求項８の発明の実像式ファインダー系は対物レンズによって形成される物体像を第１プリズムと第２プリズムを介して正立正像として接眼レンズで観察する実像式ファインダー系において、」とあるのを、「請求項８の発明の実像式ファインダー系は撮影レンズと異なる光軸を持つ対物レンズによって形成される物体像を第１プリズムと第２プリズムを介して正立正像として接眼レンズで観察するカメラ用の実像式ファインダー系において、」と訂正する。
（８）訂正事項ｈ
　明細書の段落番号【００１９】の「請求項９の発明のカメラは請求項１乃至８記載の」とあるのを、「請求項９の発明のカメラは請求項１乃至８のいずれか１項に記載の」と訂正する。
（５４）【発明の名称】
実像式ファインダー系
（５７）【特許請求の範囲】
　【請求項１】　撮影レンズと異なる光軸を持つ対物レンズによって形成される物体像を第１プリズムと第２プリズムを介して正立正像として接眼レンズで観察するカメラ用の実像式ファインダー系において、該第１プリズムは、該対物レンズからの光束が入射する入射面１１と、入射面１１からの光束が全反射する面１２と、面１２で全反射した光束を反射して、面１２と同一平面上の面１４に略垂直に入射させる面１３と、面１３で反射した光束が射出する面１４とから構成されており、該第２プリズムは、該第１プリズムの面１４と略平行に配置され、該面１４から射出した光束が入射する面２１と、面２１からの光束が全反射するように該対物レンズの光軸に対して略垂直に設けられた面２２と、面２２で全反射した光束を面２１と同一平面上の面２４方向に反射し、このとき面２４での反射光が該光軸と略平行方向に全反射するように傾けた面２３と、面２４で全反射した光束が射出し、面２２と同一平面上の面２５とから構成されており、光路中、ダハ面を物体像の観察視野の短辺方向を折り返すように設けると共に、該接眼レンズは、該対物レンズにより該第１プリズムの面１４近傍から該第２プリズムの面２１近傍の範囲内に形成された物体像を観察するようにしていることを特徴とする実像式ファインダー系。
　【請求項２】　前記第１プリズムの面１３は金属蒸着面より成り、前記第２プリズムの面２３は前記ダハ面より成り、該第１プリズムと第２プリズムは全体として前記対物レンズからの光束を６回反射させて射出していることを特徴とする請求項１の実像式ファインダー系。
　【請求項３】　前記第１プリズムの入射面は前記対物レンズ側に凸面を向けた形状より成っていることを特徴とする請求項１の実像式ファインダー系。
　【請求項４】　前記第１プリズムの面１４と前記第２プリズムの面２１は共に平面より成り、前記対物レンズは略射出テレセントリックとなっていることを特徴とする請求項１の実像式ファインダー系。
　【請求項５】　撮影レンズと異なる光軸を持つ対物レンズによって形成される物体像を第１プリズムと第２プリズムを介して正立正像として接眼レンズで観察するカメラ用の実像式ファインダー系において、該第１プリズムは、該対物レンズからの光束が入射する入射面１１と、入射面１１からの光束を入射面１１と同一平面上の面１３方向に反射させる面１２と、面１３で全反射した光束が射出する面１４とから構成されており、該第２プリズムは、該第１プリズムの面１４と略平行に配置され、該面１４から射出した光束が入射する面２１と、面２１からの光束が全反射するように該対物レンズの光軸に対して略垂直に設けられた面２２と、面２２で全反射した光束を面２１と同平面上の面２４方向に反射させ、このとき面２４での反射光が該光軸と略平行方向に全反射するように傾けた面２３と、面２４で全反射した光束が射出し、面２２と同一平面上の面２５とから構成されており、光路中、ダハ面を物体像の観察視野の短辺方向を折り返すように設けると共に、該接眼レンズは該対物レンズにより該第１プリズムの面１４近傍から該第２プリズムの面２１近傍の範囲内に形成された物体像を観察するようにしていることを特徴とする実像式ファインダー系。
　【請求項６】　前記第１プリズムの面１２は金属蒸着面より成り、前記第２プリズムの面２３は前記ダハ面より成り、該第１プリズムと第２プリズムは全体として前記対物レンズからの光束を６回反射させて射出していることを特徴とする請求項５の実像式ファインダー系。
　【請求項７】　前記第１プリズムの面１４と前記第２プリズムの面２１は共に平面より成り、前記対物レンズは略射出テレセントリックとなっていることを特徴とする請求項５の実像式ファインダー系。
　【請求項８】　撮影レンズと異なる光軸を持つ対物レンズによって形成される物体像を、第１プリズムと第２プリズムにより正立正像として接眼レンズで観察するカメラ用の実像式ファインダー系において、前記対物レンズからの光束は、前記第１プリズムの第１１面に入射し、前記第１プリズムの第１２面及び第１３面のうちの一方で全反射、他方で反射されて、前記第１プリズムより射出した後、前記第１プリズムと前記第２プリズムの間に設けられた視野枠を介して、前記第２プリズムの第２１面に入射し、前記第２プリズムの第２２面及び第２３面のうちの一方で全反射、他方で反射されて前記第２１面に向かい、前記第２１面で全反射されて前記第２プリズムより射出する光路を経て接眼レンズに入射し、観察者は、前記接眼レンズを介して前記視野枠の位置、又はその近傍に形成された前記物体像を観察すると共に、光路中、ダハ面を物体像の観察視野の短辺方向を折り返すように設けたことを特徴とする実像式ファインダー系。
　【請求項９】　請求項１乃至８のいずれか１項に記載の実像式ファインダー系を備えることを特徴とするカメラ。
【発明の詳細な説明】
　【０００１】
　【産業上の利用分野】
　本発明は実像式ファインダー系に関し、特に対物レンズによって形成された倒立実像のファインダー像（物体像）を適切に設定したプリズムを利用して光学系全体の小型化を図りつつ、良好な正立正像のファインダー像として観察するようにした実像式ファインダー系に関するものである。
　【０００２】
　【従来の技術】
　従来より写真用カメラやビデオカメラ等のファインダー系のうち実像のファインダー像を観察するようにした実像式ファインダー系が種々と提案されている。
　【０００３】
　この実像式ファインダー系は虚像式ファインダー系に比べて光学系全体の小型化が容易である為、最近ではズームレンズ付カメラに多用されている。
　【０００４】
　図５は従来の正立正像用としてポロプリズムを用いた実像式ファインダー系の要部斜視図である。
　【０００５】
　同図において１０１は対物レンズであり、変倍に伴い光軸上移動する負レンズ１０２ａと正レンズ１０２ｂとを有している。１０３はフィールドレンズ、１０４はポロプリズムであり、対物レンズ１０１による倒立のファインダー像を正立正像に反転している。１０５は接眼レンズである。
　【０００６】
　対物レンズ１０１を構成する負レンズ１０２ａと正レンズ１０２ｂは撮影レンズ（不図示）の変倍に伴い、矢印のように光軸上移動して変倍を行っている。これによりファインダー像の観察倍率を撮影レンズの変倍に伴って変化する撮影倍率に対応させて変化させている。
　【０００７】
　対物レンズ１０１による倒立実像のファインダー像はフィールドレンズ１０３近傍に形成される。そして順にポロプリズム１０４の反射面１０４ａ，１０４ｂ，１０４ｃ，１０４ｄで反射させて正立正像に反転し、この正立正像のファインダー像を接眼レンズ１０５を介して観察するようにしている。
　【０００８】
　【発明が解決しようとする課題】
　正立正像用としてポロプリズムを用いた実像式ファインダー系はポロプリズムの外形状により、図６に示すようにその一部が上下方向と左右方向に突出し、ファインダー系全体が大型化してくる傾向があった。
　【０００９】
　一方、ファインダー系の対物レンズは撮影レンズの近傍に配置するのがパララックスが少なくなるので好ましい。
　【００１０】
　又、接眼レンズはカメラを構えたときに撮影者の鼻がカメラに接触しないような位置に配置するのが望まれている。このとき通常の形態のカメラにおいては接眼レンズをカメラ本体の後方に突出させて構成するか、又はカメラ本体の端部に配置することが必要となってくる。
　【００１１】
　しかしながら前者の方法はカメラの携帯性が悪くなる傾向があった。又、後者の方法はパララックスを考慮すると対物レンズの光軸と接眼レンズの光軸とを離す必要があった。
　【００１２】
　即ち、ファインダー系としてはレンズ全長及び上下方向を小型化に構成し、左右方向は対物レンズの光軸と接眼レンズの光軸とをある程度離して構成することとなり、この結果、光学系全体が複雑化してくる傾向があった。
　【００１３】
　この他、実像式ファインダー系として２次結像式ファインダー系があるが、このファインダー系はレンズ全長が長くなり、光学系全体が大型化してくるという問題点があった。
　【００１４】
　本発明は、正立正像用として適切に設定したダハ面を有するプリズムを利用することにより、光学系全体の上下方向と左右方向の小型化を測りつつ、対物レンズによって形成された倒立実像のファインダー像を正立正像に反転し、良好なるファインダー像の観察を可能とした実像式ファインダー系の提供を目的とする。
　【００１５】
　この他本発明では、適切に設定したダハ面を有するプリズムを用いることにより上下方向を短くしつつ対物レンズの光軸と接眼レンズの光軸とを比較的大きく離すことができ、しかもパララックスが少なく、接眼レンズをカメラ本体の端部に位置させることができるようにした実像式ファインダー系の提供を目的とする。
　【００１６】
　【課題を解決するための手段】
　請求項１の発明の実像式ファインダー系は、撮影レンズと異なる光軸を持つ対物レンズによって形成される物体像を第１プリズムと第２プリズムを介して正立正像として接眼レンズで観察するカメラ用の実像式ファインダー系において、該第１プリズムは、該対物レンズからの光束が入射する入射面１１と、入射面１１からの光束が全反射する面１２と、面１２で全反射した光束を反射して、面１２と同一平面上の面１４に略垂直に入射させる面１３と、面１３で反射した光束が射出する面１４とから構成されており、該第２プリズムは、該第１プリズムの面１４と略平行に配置され、該面１４から射出した光束が入射する面２１と、面２１からの光束が全反射するように該対物レンズの光軸に対して略垂直に設けられた面２２と、面２２で全反射した光束を面２１と同一平面上の面２４方向に反射し、このとき面２４での反射光が該光軸と略平行方向に全反射するように傾けた面２３と、面２４で全反射した光束が射出し、面２２と同一平面上の面２５とから構成されており、光路中、ダハ面を物体像の観察視野の短辺方向を折り返すように設けると共に、該接眼レンズは、該対物レンズにより該第１プリズムの面１４近傍から該第２プリズムの面２１近傍の範囲内に形成された物体像を観察するようにしていることを特徴としている。
　請求項２の発明は請求項１の発明において、前記第１プリズムの面１３は金属蒸着面より成り、前記第２プリズムの面２３は前記ダハ面より成り、該第１プリズムと第２プリズムは全体として前記対物レンズからの光束を６回反射させて射出していることを特徴としている。
　請求項３の発明は請求項１の発明において、前記第１プリズムの入射面は前記対物レンズ側に凸面を向けた形状より成っていることを特徴としている。
　請求項４の発明は請求項１の発明において、前記第１プリズムの面１４と前記第２プリズムの面２１は共に平面より成り、前記対物レンズは略射出テレセントリックとなっていることを特徴としている。
　【００１７】
　請求項５の発明の実像式ファインダー系は、撮影レンズと異なる光軸を持つ対物レンズによって形成される物体像を第１プリズムと第２プリズムを介して正立正像として接眼レンズで観察するカメラ用の実像式ファインダー系において、該第１プリズムは、該対物レンズからの光束が入射する入射面１１と、入射面１１からの光束を入射面１１と同一平面上の面１３方向に反射させる面１２と、面１３で全反射した光束が射出する面１４とから構成されており、該第２プリズムは、該第１プリズムの面１４と略平行に配置され、該面１４から射出した光束が入射する面２１と、面２１からの光束が全反射するように該対物レンズの光軸に対して略垂直に設けられた面２２と、面２２で全反射した光束を面２１と同一平面上の面２４方向に反射させ、このとき面２４での反射光が該光軸と略平行方向に全反射するように傾けた面２３と、面２４で全反射した光束が射出し、面２２と同一平面上の面２５とから構成されており、光路中、ダハ面を物体像の観察視野の短辺方向を折り返すように設けると共に、該接眼レンズは該対物レンズにより該第１プリズムの面１４近傍から該第２プリズムの面２１近傍の範囲内に形成された物体像を観察するようにしていることを特徴としている。
　請求項６の発明は請求項５の発明において、前記第１プリズムの面１２は金属蒸着面より成り、前記第２プリズムの面２３は前記ダハ面より成り、該第１プリズムと第２プリズムは全体として前記対物レンズからの光束を６回反射させて射出していることを特徴としている。
　請求項７の発明は請求項５の発明において、前記第１プリズムの面１４と前記第２プリズムの面２１は共に平面より成り、前記対物レンズは略射出テレセントリックとなっていることを特徴としている。
　【００１８】
　請求項８の発明の実像式ファインダー系は、撮影レンズと異なる光軸を持つ対物レンズによって形成される物体像を、第１プリズムと第２プリズムにより正立正像として接眼レンズで観察するカメラ用の実像式ファインダー系において、前記対物レンズからの光束は、前記第１プリズムの第１１面に入射し、前記第１プリズムの第１２面及び第１３面のうちの一方で全反射、他方で反射されて、前記第１プリズムより射出した後、前記第１プリズムと前記第２プリズムの間に設けられた視野枠を介して、前記第２プリズムの第２１面に入射し、前記第２プリズムの第２２面及び第２３面のうちの一方で全反射、他方で反射されて前記第２１面に向かい、前記第２１面で全反射されて前記第２プリズムより射出する光路を経て接眼レンズに入射し観察者は、前記接眼レンズを介して前記視野枠の位置、又はその近傍に形成された前記物体像を観察すると共に、光路中、ダハ面を物体像の観察視野の短辺方向を折り返すように設けたことを特徴としている。
　【００１９】
　請求項９の発明のカメラは請求項１乃至８のいずれか１項に記載の実像式ファインダー系を備えることを特徴としている。
　【００２０】
　【実施例】
　図１は本発明の実施例１の光学系の要部断面図、図２は図１のプリズム３の要部斜視図、図３は図１をＡ方向から見たときの概略図である。
　【００２１】
　図中、１は対物レンズであり、光軸上移動可能な負レンズ２ａと正レンズ２ｂの２つのレンズを有している。３は正立正像用のプリズムであり、第１プリズム６と第２プリズム７とから成っている。８はファインダー視野を制限する視野枠であり、第１プリズム６の射出面６ｄと第２プリズム７の入射面７ａとが対向する狭い空間内に設けている。対物レンズ１による倒立実像のファインダー像は、第１プリズム６を介して視野枠８近傍に形成している。５は接眼レンズであり、視野枠８近傍に形成された倒立実像のファインダー像を第２プリズム７を介して正立正像のファインダー像として観察している。
　【００２２】
　本実施例では撮影レンズ（不図示）の変倍に伴い、対物レンズ１を構成する負レンズ２ａと正レンズ２ｂとを矢印で示すように独立に光軸上を移動させて変倍を行なっている。これにより撮影レンズの変倍に伴って変化する撮影倍率に対応させたファインダー像の観察を行なっている。
　【００２３】
　第１プリズム６は対物レンズ１からの光束を入射面６ａより入射させている。入射面６ａは対物レンズ側に凸面を向けた正の屈折力を有する曲面より成っている。このとき対物レンズ１と入射面６ａとで光学系が射出テレセントリックとなるようにしている。そして入射面６ａから入射した全ての光束が面６ｂで面６ｃ方向に全反射するようにしている。面６ｃは面６ｂからの光束を反射させて面６ｂと同一平面上の面（射出面）６ｄに垂直入射させ、それより外部に射出させている。
　【００２４】
　第２プリズム７は第１プリズム６の面６ｄからの光束を面７（入射面）７ａより入射させている。面６ｄと面７ａとは略平行となっている。面７ａから入射してきた光束を対物レンズ１の光軸１ａに対して略垂直に設けた面７ｂで全反射させてダハ面より成る面７ｃに入射している。面７ｃは面７ｂからの光束を反射させて面７ａと同一平面上の面７ｄに導光している。このとき面７ｃは面７ｄに入射した光束が面７ｄより光軸１ａと平行方向に全反射するような角度で入射させている。
　【００２５】
　ダハ面である面７ｃは観察視野（ファインダー視野）の短辺方向に、即ち通常のカメラでいう上下方向を折り返している。そして面７ｄで全反射した光束を面７ｂと同一平面上の面７ｅに垂直入射させて、それより外部に射出させている。
　【００２６】
　第１プリズム６の射出用の面６ｄ近傍、即ち視野枠８近傍に対物レンズ１によるファインダー像（物体像）を形成している。そして接眼レンズ５により視野枠８近傍に形成した倒立実像のファインダー像を第２プリズム７を介して正立実像のファインダー像として観察している。
　【００２７】
　本実施例ではこのようにプリズムや視野枠等の各要素を設定すると共に全反射を活用し光路を折りたたむことにより、図３に示すようにファインダー系全体の上下方向及び左右方向の突出量を図６のポロプリズムを用いた場合に比べて少なくして、空間の有効利用を図り、ファインダー系全体の小型化を図っている。
　【００２８】
　又、対物レンズ１と第１プリズム６の入射面６ａとで光学系が射出テレセントリックとなるようにして半画角２０度以上でも光束が全反射する条件を満足させるようにして高視野のファインダー像の観察を容易にしている。
　【００２９】
　又、本実施例では対物レンズ１による物体像を第１プリズム６と第２プリズム７との間の密閉が容易な空間内の視野枠８近傍に形成するようにしてゴミや埃等が面６ｄや面７ａ等に付着してファインダー像と共に観察されるのを効果的に防止している。
　【００３０】
　図４は本発明の実施例２の要部断面図である。図中、図１で示した要素と同一要素には同符番を付している。
　【００３１】
　本実施例の実像式ファインダー系は撮影レンズが単一焦点距離のレンズより成っている場合である。この為、対物レンズ１は変倍部を有しておらず、単一の正レンズ９より成っている。
　【００３２】
　１０は前絞りである。正レンズ９と前絞り１０、そして第１プリズム６の入射面６ａより射出テレセントリックな光学系となるように構成している。この他の構成は図１の実施例１と同じである。
　【００３３】
　図７は本発明の実施例３の光学系の要部断面図、図８は図７のプリズム２３の要部斜視図、図９は図７をＢ方向から見たときの概略図である。
　【００３４】
　図中、２１は対物レンズであり、光軸上移動可能な負レンズ２２ａと正レンズ２２ｂ、そして固定の正レンズ２２ｃの３つのレンズを有している。２３は正立正像用のプリズムであり、第１プリズム２６と第２プリズム２７とから成っている。２８はファインダー視野を制限する視野枠であり、第１プリズム２６の射出面２６ｄと第２プリズム２７の入射面２７ａとが対向する狭い空間内に設けている。
　【００３５】
　対物レンズ２１による倒立実像のファインダー像は第１プリズム２６を介して視野枠２８近傍に形成している。２５は接眼レンズであり、視野枠２８近傍に形成された倒立実像のファインダー像を第２プリズム２７を介して正立正像のファインダー像として観察している。
　【００３６】
　本実施例では撮影レンズ（不図示）の変倍に伴い、対物レンズ２１を構成する負レンズ２２ａと正レンズ２２ｂとを矢印で示すように、独立に光軸上を移動させて変倍を行なっている。これにより撮影レンズの変倍に伴って変化する撮影倍率に対応させたファインダー像の観察を行なっている。
　【００３７】
　第１プリズム２６は対物レンズ２１からの光束を入射面２６ａより入射させている。このとき対物レンズ２１は射出テレセントリックとなるようにしている。そして入射面２６ａから入射した光束が面２６ｂで入射面２６ａと同一平面上の面２６ｃ方向に反射するようにしている。面２６ｃは面２６ｂからの光束を全反射させて面（射出面）２６ｄに垂直入射させ、それより外部に射出させている。
　【００３８】
　第２プリズム２７は第１プリズム２６の面２６ｄからの光束を面（入射面）２７ａより入射させている。面２６ｄと面２７ａとは略平行となっている。面２７ａから入射してきた光束を対物レンズ２１の光軸２１ａに対して略垂直に設けた面２７ｂで全反射させてダハ面より成る面２７ｃに入射している。面２７ｃは面２７ｂからの光束を反射させて面２７ａと同一平面上の面２７ｄに導光している。このとき面２７ｃは面２７ｄに入射した光束が面２７ｄより光軸２１ａと平行方向に全反射するような角度で入射させている。
　【００３９】
　ダハ面である面２７ｃは観察視野（ファインダー視野）の短辺方向に、即ち通常のカメラでいう上下方向を折り返している。そして面２７ｄで全反射した光束を面２７ｂと同一平面上の面２７ｅに垂直入射させて、それより外部に射出させている。
　【００４０】
　第１プリズム２６の射出用の面２６ｄ近傍、即ち視野枠２８近傍に対物レンズ２１によるファインダー像（物体像）を形成している。そして接眼レンズ２５により視野枠２８近傍に形成した倒立実像のファインダー像を第２プリズム２７を介して正立実像のファインダー像として観察している。
　【００４１】
　本実施例ではこのようにプリズムや視野枠等の各要素を設定することにより、図９に示すようにファインダー系全体の上下方向の突出量を図６のポロプリズムを用いた場合に比べて少なくして、空間の有効利用を図り、ファインダー系全体の小型化を図っている。
　【００４２】
　又、対物レンズ２１が射出テレセントリックとなるようにして半画角２０度以上でも光束が全反射する条件を満足させるようにして高視野のファインダー像の観察を容易にしている。
　【００４３】
　又、本実施例では対物レンズ２１による物体像を第１プリズム２６と第２プリズム２７との間の密閉が容易な空間内の視野枠２８近傍に形成するようにして、ゴミや埃等が面２６ｄや面２７ａ等に付着してファインダー像と共に観察されるのを効果的に防止している。
　【００４４】
　又、左右方向に対物レンズ２１の光軸と接眼レンズ２５の光軸が離れるようにしてパララックスを少なくしつつ接眼レンズがカメラ本体の端部に位置することができるようにしている。
　【００４５】
　図１０は本発明の実施例４の要部断面図である。図中、図７で示した要素と同一要素には同符番を付している。
　【００４６】
　本実施例の実像式ファインダー系は撮影レンズが単一焦点距離のレンズより成っている場合である。この為、対物レンズ２１は変倍部を有しておらず、固定の正レンズ２９と正レンズ３０の２つのレンズより成っている。
　【００４７】
　３１は前絞りである。正レンズ２９、正レンズ３０、そして前絞り３１より射出テレセントリックな光学系となるように構成している。この他の構成は図７の実施例３と同じである。
　【００４８】
　次に本発明の実像式ファインダー系の図１と図７の数値実施例を示す。数値実施例では第１，第２プリズムは光路を展開したときを示している。
　【００４９】
　数値実施例においてＲｉは物体側より順に第ｉ番目のレンズ面の曲率半径、Ｄｉは物体側より第ｉ番目のレンズ厚及び空気間隔、Ｎｉとνｉは各々物体側より順に第ｉ番目のレンズのガラスの屈折率とアッペ数である。
　【００５０】
　非球面形状は光軸方向にＸ軸、光軸と垂直方向にＨ軸、光の進行方向を正とし、Ｒを近軸曲率半径、Ａ，Ｂ，Ｃ，Ｄ，Ｅを各々非球面係数としたとき
　【００５１】
　【数１】
なる式で表わしている。
　【００５２】
　【００５３】
　【表１】
　【００５４】
　【表２】
　【００５５】
　【発明の効果】
　本発明によれば、正立正像用として適切に設定したダハ面を有するプリズムを利用することにより、光学系全体の上下方向と左右方向の小型化を測りつつ、対物レンズによって形成された倒立実像のファインダー像を正立正像に反転し、良好なるファインダー像の観察を可能とした実像式ファインダー系を達成することができる。
　【００５６】
　この他本発明によれば、適切に設定したダハ面を有するプリズムを用いることにより、上下方向を短くしつつ対物レンズの光軸と接眼レンズの光軸とを比較的大きく離すことができ、しかもパララックスが少なく、接眼レンズをカメラ本体の端部に位置させることができる実像式ファインダー系を達成することができる。
【図面の簡単な説明】
　【図１】　本発明の実施例１の光学系の要部断面図
　【図２】　図１の一部分の要部斜視図
　【図３】　図１のＡ方向からの概略図
　【図４】　本発明の実施例２の光学系の要部断面図
　【図５】　従来の実像式ファインダー系の要部概略図
　【図６】　図５のＡ方向からの概略図
　【図７】　本発明の実施例３の光学系の要部断面図
　【図８】　図７の一部分の要部斜視図
　【図９】　図７のＢ方向からの概略図
　【図１０】　本発明の実施例４の光学系の要部概略図
　【符号の説明】
　１，２１　対物レンズ
　３，２３　プリズム
　５，２５　接眼レンズ
　６，２６　第１プリズム
　７，２７　第２プリズム
　８，２８　視野枠